(57)【要約】【課題】  既存の鴨居を残したまま改装して新設の引戸を取り付けるリフォームが容易にでき、しかも新設の引戸の走行性を向上できる引戸用鴨居の改装方法を提供する。【解決手段】  既設の引戸４の上端部が摺動自在に嵌合する一対の摺動溝２を下面側に平行に穿設した既設の木製の鴨居１を改装する方法である。既設の鴨居１の一対の摺動溝２間の中間突起３を全長を長手方向に亙って切除して既設の一対の摺動溝２が連続した凹所６を形成し、新設の引戸７の上端部を摺動自在に嵌合し得る新設の摺動溝８を一対平行に設けた型材からなるレール部材９を既存の鴨居１の凹所６に埋設する。【選択図】      図１
2005097986.tif 000002
【特許請求の範囲】
【請求項１】
既設の引戸の上端部が摺動自在に嵌合する一対の摺動溝を下面側に平行に穿設した既設の木製の鴨居を改装する方法であって、既設の鴨居の一対の摺動溝間の中間突起を全長を長手方向に亙って切除して既設の一対の摺動溝が連続した凹所を形成し、新設の引戸の上端部を摺動自在に嵌合し得る新設の摺動溝を一対平行に設けた型材からなるレール部材を既存の鴨居の凹所に埋設することを特徴とする引戸用鴨居の改装方法。
【請求項２】
既設の鴨居の上記凹所と鴨居の巾方向の両端との間の下面及び鴨居の幅方向の両側の側面とを化粧材のような隠し材にて覆うことを特徴とする請求項１記載の引戸用鴨居の改装方法。
【請求項３】
既設の引戸の上端部が摺動自在に嵌合する一対の摺動溝を下面側に平行に穿設した既設の木製の鴨居を改装する方法であって、既設の鴨居の一対の摺動溝に嵌合する一対の嵌合部を有すると共に新設の引戸の上端部を摺動自在に嵌合し得る新設の摺動溝を一対の嵌合部の下方に夫々設けた型材のレール部材を既設の鴨居の下方に配置し、このレール部材の一対の嵌合部を既設の鴨居の摺動溝に夫々嵌め込んで既設の鴨居にレール部材を装着することを特徴とする引戸用鴨居の改装方法。
【請求項４】
レール部材の巾方向の両端から鴨居の巾方向の側面の上端までの間を化粧材のような隠し材で覆うことを特徴とする請求項３記載の引戸用鴨居の改装方法。
【発明の詳細な説明】
【技術分野】
【０００１】
本発明は、既設の引戸に替えて新設の引戸を取り付けるために既設の鴨居を改装する方法に関するものである。
【背景技術】
【０００２】
旧来の引戸装置では、図４に示すように木製の鴨居１の下面側に一対の摺動溝２を平行に設けてあり、この一対の摺動溝２間に中間突起３を設けてある（例えば、特許文献１参照）。一方引戸４の上端には全長に亙って戸首加工をして他の部分より厚さの薄い戸首部５を設けてあり、戸首部５を摺動溝２に摺動自在に嵌め込んである。
【０００３】
ところで、既設の引戸装置が古くなってリフォームするとき、既設の鴨居１を残して既設の引戸４と新設の引戸とを入れ替えることが考えられるが、新設の引戸４の上端部が既設の鴨居１の摺動溝２に合わなく、新設の引戸４の上端部に摺動溝２に合わせるための戸首加工をしなければならなく、施工に手間がかかるという問題がある。また既存の鴨居１の摺動溝２を利用すると、新設の引戸を取り付けても引戸４の走行性が改善されるものでない。また新設の引戸と取り替えても既設の鴨居１が露出して外観が充分に向上するものでないという問題がある。
【０００４】
またリフォームにあたって、引戸だけでなく鴨居も含めて枠毎取り替えることも考えられるが、工事が大掛かりになると共にコストがかかるという問題がある。
【特許文献１】特開平４−２８５２８４号公報
【発明の開示】
【発明が解決しようとする課題】
【０００５】
本発明は上記の従来の問題点に鑑みて発明したものであって、既存の鴨居を残したまま改装して新設の引戸を取り付けるリフォームが容易にでき、しかも新設の引戸の走行性を向上でき、さらに既存の鴨居を残したままでも既存の鴨居が見えなくて外観を向上できる引戸用鴨居の改装方法を提供することを課題とするものである。
【課題を解決するための手段】
【０００６】
上記課題を解決するために本発明の請求項１の引戸用鴨居の改装方法は、既設の引戸４の上端部が摺動自在に嵌合する一対の摺動溝２を下面側に平行に穿設した既設の木製の鴨居１を改装する方法であって、既設の鴨居１の一対の摺動溝２間の中間突起３を全長を長手方向に亙って切除して既設の一対の摺動溝２が連続した凹所６を形成し、新設の引戸７の上端部を摺動自在に嵌合し得る新設の摺動溝８を一対平行に設けた型材からなるレール部材９を既存の鴨居１の凹所６に埋設することを特徴とする。
【０００７】
上記のように改装することにより、既設の鴨居１を残したままレール部材９を取り付けたことで新設のレール部材９の摺動溝８に新設の引戸７を嵌め込んで摺動自在に装着することができ、新設の引戸７に巾を合わせるための戸首加工をしたりしなくても新設の引戸７と取り替えることができてリフォームが容易にできる。また合成樹脂やアルミニウム等の型材で形成されたレール部材９の摺動溝８に新設の引戸７の上端を摺動自在に嵌め込むことにより、滑り性がよくなって新設の引戸７の走行性能が向上する。
【０００８】
また本発明の請求項２の引戸用鴨居の改装方法は、請求項１において、既設の鴨居１の上記凹所６と鴨居１の巾方向の両端との間の下面及び鴨居１の幅方向の両側の側面とを化粧材のような隠し材１０にて覆うことを特徴とする。既設の鴨居１が露出しないように隠し材１０で覆うことができ、リフォーム後の外観を向上できる。
【０００９】
また本発明の請求項３の引戸用鴨居の改装方法は、既設の引戸４の上端部が摺動自在に嵌合する一対の摺動溝２を下面側に平行に穿設した既設の木製の鴨居１を改装する方法であって、既設の鴨居１の一対の摺動溝２に嵌合する一対の嵌合部１１を有すると共に新設の引戸４の上端部を摺動自在に嵌合し得る新設の摺動溝１２を一対の嵌合部１１の下方に夫々設けた型材のレール部材１３を既設の鴨居１の下方に配置し、このレール部材１３の一対の嵌合部１１を既設の鴨居１の摺動溝２に夫々嵌め込んで既設の鴨居１にレール部材１３を装着することを特徴とする。
【００１０】
上記のように改装することにより、既設の鴨居１を残したままレール部材１３を嵌合部１１の摺動溝２への嵌合にて新設のレール部材１３を取り付けることで、新設のレール部材１３の摺動溝１２に新設の引戸７を嵌め込んで摺動自在に装着することができ、新設の引戸７に巾を合わせるための戸首加工をしたりしなくても新設の引戸７と取り替えることができてリフォームが容易にできる。また合成樹脂やアルミニウム等の型材で形成されたレール部材１３の摺動溝１２に新設の引戸７の上端を摺動自在に嵌め込むことにより、滑り性がよくなって新設の引戸７の走行性能が向上する。また既設の鴨居１の摺動溝２に嵌合部１１を嵌め込むことでレール部材１３を取り付けるために請求項１のもののように中間突起３を切除する加工をする必要もなくて改装が一層容易になる。
【００１１】
また本発明の請求項４の引戸用鴨居の改装方法は、レール部材１３の巾方向の両端から鴨居１の巾方向の側面の上端までの間を化粧材のような隠し材１４で覆うことを特徴とする。既設の鴨居１が露出しないように隠し材１４で覆うことができ、リフォーム後の外観を向上できる。
【発明の効果】
【００１２】
本発明は既設の鴨居を残したままレール部材を取り付けたことで新設のレール部材の摺動溝に新設の引戸を嵌め込んで摺動自在に装着することができ、新設の引戸に巾を合わせる戸首加工をしたりしなくても新設の引戸と取り替えることができてリフォームが容易にできるという効果を奏し得るものであり、また合成樹脂やアルミニウム等の型材で形成されたレール部材の摺動溝に新設の引戸の上端を摺動自在に嵌め込むことにより、滑り性がよくなって新設の引戸の走行性能が向上するという作用効果を奏し得るものであり、さらに既設の鴨居が露出しないように隠し材で覆うことができ、リフォーム後の外観を向上できるという効果を奏し得るものである。
【発明を実施するための最良の形態】
【００１３】
以下、本発明を添付図面に示す実施形態に基いて説明する。
【００１４】
図４に示すように既設の鴨居１は木製であり、下面側に一対の摺動溝２を平行に穿設してあり、一対の摺動溝２間に中間突起３を設けてある。そして既設の引戸４の戸首部５を摺動溝２に摺動自在に嵌合して引戸４を開閉自在に装着してある。
【００１５】
既設の引戸４を取り外して新設の引戸７と取り替えるリフォームするとき既設の鴨居１の改装を下記のように行うが、その一例を図１により説明する。鴨居１の改装を行うときに用いるレール部材９は合成樹脂、アルミニウム等を材料として押し出し成形された型材であり、一対の断面略コ字状の摺動溝８を設けてあり、隣り合う摺動溝８間に中間突起部１５を有し、巾方向の両側にフランジ部１６を有する。レール部材９の摺動溝８の巾は新設の引戸７の上端の厚さに合うように予め形成してある。既設の引戸４を取り外して改装する場合、先ず既設の鴨居１の中間突起３を長手方向全長に亙って切除して{図１（ａ）の破線に沿って切断}一対の摺動溝２を連続させた凹所６を形成する。鴨居１の凹所６の巾方向の両側と鴨居１の両側端との間の下面及び鴨居１の両側の側面には化粧材のような隠し材１０が被覆される。そして鴨居１の凹所６の下方にレール部材９を配置し、レール部材９を凹所６に嵌めることで図１（ｂ）に示すように鴨居１にレール部材９が取り付けられる。このようにレール部材９を取り付けた後、新設の引戸７の上端を摺動溝８に摺動自在に嵌め込んで引戸７が開閉自在に装着される。このように取り付ける新設の引戸７の上端はレール部材９の摺動溝８に摺動自在に嵌合できる厚さになっていればよく、図２（ａ）のように戸首加工をしたものでも、図２（ｂ）のように戸首加工しないものでもよい。
【００１６】
次に既設の鴨居１の改築の他の例について図３により説明する。鴨居１の改装を行うとき用いるレール部材１３は合成樹脂、アルミニウム等を材料として押し出し成形された型材であり、一対の断面コ字状の嵌合部１１を有すると共に一対の嵌合部１１の下方に嵌合部１１より巾の広い摺動溝１２を有し、一対の摺動溝１２間に中間突起部１７を有している。嵌合部１１の巾は鴨居１の摺動溝２に合致する巾であり、摺動溝１２の巾は新設の引戸４の上端部の厚さに合致する巾である。既設の引戸４を取り外して改装する場合、鴨居１の下方にレール部材１３を配置し、レール部材１３の嵌合部１１を摺動溝２の嵌合してレール部材１３を鴨居１に取り付け、レール部材１３の巾方向の両側端と鴨居１の両側の側面の上端までに亙って化粧材のような隠し材１４が被覆される。このようにレール部材９を取り付けた後、新設の引戸７の上端を摺動溝１２に摺動自在に嵌め込んで引戸７が開閉自在に装着される。
【図面の簡単な説明】
【００１７】
【図１】本発明の実施の形態の一例を説明する断面図であって、（ａ）はレール部材を取り付ける前の状態で、（ｂ）はレール部材を取り付けた後の状態である。
【図２】（ａ）（ｂ）は新設の引戸の上端部の形状を示す断面図である。
【図３】同上の他の例を説明する断面図である。
【図４】従来例を示す断面図である。
【符号の説明】
【００１８】
１  鴨居    
２  摺動溝
３  中間突起
４  既設の引戸
６  凹所  
７  新設の引戸
８  摺動溝
９  レール部材
１０  隠し材
１１  嵌合部
１２  摺動溝
１３  レール部材
１４  隠し材
【図１】
2005097986.tif 000003
【図２】
2005097986.tif 000004
【図３】
2005097986.tif 000005
【図４】
2005097986.tif 000006